(57)【要約】【課題】内燃機関の外部の冷却水配管を簡素化してコンパクト化を図るとともに部品点数および取付工数を削減することができる内燃機関の冷却水経路構造を供する。【解決手段】シリンダブロック12内の第１ウォータジャケット12ｗとシリンダヘッド13内に形成される第２ウォータジャケット13ｗとが互いに独立した冷却水経路を形成する内燃機関の冷却水経路構造において、冷却水供給管113から供給される冷却水を第１ウォータジャケット12ｗと前記第２ウォータジャケット13ｗの各冷却水経路に分岐する分岐部および第１ウォータジャケット12ｗと前記第２ウォータジャケット13ｗの各冷却水経路を独立して流れた冷却水を集合する集合部が、シリンダブロック12またはシリンダヘッド13内に形成される内燃機関の冷却水経路構造。【選択図】図４
2007262928.tif 000002
【特許請求の範囲】
【請求項１】
シリンダブロック内のシリンダボア周囲に形成される第１ウォータジャケットとシリンダヘッド内に形成される第２ウォータジャケットとが互いに独立した冷却水経路を形成する内燃機関の冷却水経路構造において、
冷却水供給管から供給される冷却水を前記第１ウォータジャケットと前記第２ウォータジャケットの各冷却水経路に分岐する分岐部および前記第１ウォータジャケットと前記第２ウォータジャケットの各冷却水経路を独立して流れた冷却水を集合する集合部が、シリンダブロックまたはシリンダヘッド内に形成されることを特徴とする内燃機関の冷却水経路構造。
【請求項２】
前記内燃機関は複数の気筒を直列に配置した内燃機関であり、
シリンダブロックまたはシリンダヘッドにおける気筒配列方向の一端側に前記冷却水供給管が接続される冷却水入口を２つに分け前記分岐部としたことを特徴とする請求項１記載の内燃機関の冷却水経路構造。
【請求項３】
シリンダブロックまたはシリンダヘッドにおける冷却水出口が、前記冷却水入口と気筒配列方向で反対側であり、かつ気筒配列方向と直交する方向で一方の側に形成され、
前記各冷却水経路を独立して流れる冷却水を集合する集合部が、前記冷却水出口と気筒配列方向で同じ側にあり、かつ気筒配列方向と直交する方向で他方の側に形成されることを特徴とする請求項２記載の内燃機関の冷却水経路構造。
【請求項４】
前記冷却水出口がシリンダヘッドにおける気筒配列方向で端部の吸気通路の下方に形成され、
シリンダブロックおよびシリンダヘッドにおける気筒配列方向の前記冷却水出口と同じ側にカムチェーン室が形成され、
前記カムチェーン室に付設されるカムチェーンテンショナのテンショナホルダーが、前記冷却水出口と気筒配列方向に並んでシリンダヘッドに突出形成されることを特徴とする請求項３記載の内燃機関の冷却水経路構造。
【請求項５】
前記分岐部が形成される内燃機関側面の前記シリンダブロックより後方部位に水ポンプが配置され、同水ポンプに前記冷却水供給管が接続され、
内燃機関の前方に水冷式のオイルクーラが配置され、同オイルクーラと前記分岐部とが冷却水配管により連結されることを特徴とする請求項１記載の内燃機関の冷却水経路構造。
【発明の詳細な説明】
【技術分野】
【０００１】
本発明は、内燃機関における冷却水の経路構造に関する。
【背景技術】
【０００２】
水冷式内燃機関において、シリンダブロック内のシリンダボア周囲に形成される第１ウォータジャケットとシリンダヘッド内に形成される第２ウォータジャケットとが互いに独立した冷却水経路を形成して、冷却水が互いに独立に流れるように構成した例は、種々提案されている（例えば、特許文献１参照）。
【０００３】
【特許文献１】特許第２９５０８７９号公報
【０００４】
同特許文献１に開示された冷却水経路は、水ポンプから吐出された冷却水を多気筒内燃機関のシリンダブロックおよびシリンダヘッドに導く冷却水供給管が途中で分岐して一方の分岐管がシリンダブロックの気筒配列方向の一端側の冷却水入口に接続され、他方の分岐管がシリンダヘッドの気筒配列方向の同じ側の冷却水入口に接続され、予め分流された冷却水がシリンダブロックとシリンダヘッドの各ウォータジャケットに流入する。
【０００５】
シリンダブロックとシリンダヘッドの各冷却水出口も気筒配列方向の他端側に別々にあり、各冷却水出口にそれぞれ冷却水排出管が接続され、各冷却水排出管は下流側で集合している。
【発明の開示】
【発明が解決しようとする課題】
【０００６】
このように、シリンダブロックとシリンダヘッドの各ウォータジャケットに流入する冷却水は、シリンダブロックおよびシリンダヘッドの外部の冷却水供給管に分岐部を有して分流された状態で各ウォータジャケットに流入するので、それぞれの分岐管を必要とし、各分岐管を各冷却水入口に接続する管継手もそれぞれ必要とし、水密にシールする箇所が増加するため、取付工数および部品点数も多くかかる。
【０００７】
同様に、シリンダブロックとシリンダヘッドの各ウォータジャケットから流出する冷却水も、それぞれの冷却水出口から流出し、シリンダブロックおよびシリンダヘッドの外部で集合するので、各冷却水出口に接続する冷却水排出管をそれぞれ必要とし、各冷却水排出管を各冷却水出口に接続する管継手もそれぞれ必要とし、水密にシールする箇所が増加するため、取付工数および部品点数も多くかかる。
【０００８】
このようにリンダブロックおよびシリンダヘッドの外部に冷却水の分岐部および集合部を有する構造であると、内燃機関の外部の冷却水配管が複雑化して嵩張り、部品点数も多く、取付工数も増大する。
【０００９】
本発明は、かかる点に鑑みなされたもので、その目的とする処は、内燃機関の外部の冷却水配管を簡素化してコンパクト化を図るとともに部品点数および取付工数を削減することができる内燃機関の冷却水経路構造を供する点にある。
【課題を解決するための手段】
【００１０】
上記目的を達成するために、請求項１記載の発明は、シリンダブロック内のシリンダボア周囲に形成される第１ウォータジャケットとシリンダヘッド内に形成される第２ウォータジャケットとが互いに独立した冷却水経路を形成する内燃機関の冷却水経路構造において、冷却水供給管から供給される冷却水を前記第１ウォータジャケットと前記第２ウォータジャケットの各冷却水経路に分岐する分岐部および前記第１ウォータジャケットと前記第２ウォータジャケットの各冷却水経路を独立して流れた冷却水を集合する集合部が、シリンダブロックまたはシリンダヘッド内に形成される内燃機関の冷却水経路構造とした。
【００１１】
請求項２記載の発明は、請求項１記載の内燃機関の冷却水経路構造において、前記内燃機関は複数の気筒を直列に配置した内燃機関であり、シリンダブロックまたはシリンダヘッドにおける気筒配列方向の一端側に前記冷却水供給管が接続される冷却水入口を２つに分け前記分岐部としたことを特徴とする。
【００１２】
請求項３記載の発明は、請求項２記載の内燃機関の冷却水経路構造において、シリンダブロックまたはシリンダヘッドにおける冷却水出口が、前記冷却水入口と気筒配列方向で反対側であり、かつ気筒配列方向と直交する方向で一方の側に形成され、前記各冷却水経路を独立して流れる冷却水を集合する集合部が、前記冷却水出口と気筒配列方向で同じ側にあり、かつ気筒配列方向と直交する方向で他方の側に形成されることを特徴とする。
【００１３】
請求項４記載の発明は、請求項３記載の内燃機関の冷却水経路構造において、前記冷却水出口がシリンダヘッドにおける気筒配列方向で端部の吸気通路の下方に形成され、シリンダブロックおよびシリンダヘッドにおける気筒配列方向の前記冷却水出口と同じ側にカムチェーン室が形成され、前記カムチェーン室に付設されるカムチェーンテンショナのテンショナホルダーが、前記冷却水出口と気筒配列方向に並んでシリンダヘッドに突出形成されることを特徴とする。
【００１４】
請求項５記載の発明は、請求項１記載の内燃機関の冷却水経路構造において、前記分岐部が形成される内燃機関側面の前記シリンダブロックより後方部位に水ポンプが配置され、同水ポンプに前記冷却水供給管が接続され、内燃機関の前方に水冷式のオイルクーラが配置され、同オイルクーラと前記分岐部とが冷却水配管により連結されることを特徴とする。
【発明の効果】
【００１５】
請求項１記載の内燃機関の冷却水経路構造によれば、冷却水供給管から供給される冷却水を第１ウォータジャケットと第２ウォータジャケットの各冷却水経路に分岐する分岐部および第１ウォータジャケットと第２ウォータジャケットの各冷却水経路を独立して流れた冷却水を集合する集合部が、シリンダブロックまたはシリンダヘッド内に形成されるので、１本の冷却水供給管を分岐せずにシリンダブロックまたはシリンダヘッドの冷却水入口に接続し、シリンダブロックまたはシリンダヘッドの１つの冷却水出口から冷却水を排出すればよく、内燃機関の外部の冷却水配管を簡素化してコンパクト化を図るとともに部品点数および取付工数を削減することができる。
【００１６】
請求項２記載の内燃機関の冷却水経路構造によれば、内燃機関は複数の気筒を直列に配置した内燃機関であり、シリンダブロックまたはシリンダヘッドにおける気筒配列方向の一端側に冷却水供給管が接続される冷却水入口を２つに分け前記分岐部としたので、シリンダブロックまたはシリンダヘッドに冷却水が導入される入口で分岐されるため、冷却水経路が短縮でき、ポンプ損失を低減することができる。
【００１７】
請求項３記載の内燃機関の冷却水経路構造によれば、シリンダブロックまたはシリンダヘッドにおける冷却水出口が、冷却水入口と気筒配列方向で反対側であり、かつ気筒配列方向と直交する方向で一方の側に形成され、各冷却水経路を独立して流れる冷却水を集合する集合部が、冷却水出口と気筒配列方向で同じ側にあり、かつ気筒配列方向と直交する方向で他方の側に形成されるので、気筒配列方向の一端側の冷却水入口から導入された冷却水は分岐してシリンダブロックの第１ウォータジャケットとシリンダヘッドの第２ウォータジャケットの各冷却水経路をそれぞれ気筒配列方向の他端側に流れて集合し、集合部とは気筒配列方向と直交する方向で集合部とは反対の側の冷却水出口から排出される。
【００１８】
したがって、第１ウォータジャケットと第２ウォータジャケット内の冷却水の流れに偏りが少なく、冷却性能が全体に亘って均一化されて効率良く冷却することができ、したがって、水ポンプの容量を最低限に設定して内燃機関全体のコンパクト化およびポンプ損失の低減を図ることができる。
【００１９】
請求項４記載の内燃機関の冷却水経路構造によれば、冷却水出口がシリンダヘッドにおける気筒配列方向で端部の吸気通路の下方に形成され、シリンダブロックおよびシリンダヘッドにおける気筒配列方向の前記冷却水出口と同じ側にカムチェーン室が形成され、カムチェーン室に付設されるカムチェーンテンショナのテンショナホルダーが、冷却水出口と気筒配列方向に並んでシリンダヘッドに突出形成されるので、冷却水出口と吸気通路とテンショナホルダーが互いに寄り集まって位置するため、内燃機関からの突出部を集約させることができ、他の部分の補機等の配置の自由度を向上させることができる。
【００２０】
請求項５記載の内燃機関の冷却水経路構造によれば、分岐部が形成される内燃機関側面のシリンダブロックより後方部位に水ポンプが配置され、同水ポンプに前記冷却水供給管が接続されるので、冷却水供給管の管路長を短縮でき、また内燃機関の前方に水冷式のオイルクーラが配置され、同オイルクーラと前記分岐部とが冷却水配管により連結されるので、冷却水配管の管路長を短縮できるとともに、分岐部を共通に使用することで部品点数の削減を図ることができる。
【発明を実施するための最良の形態】
【００２１】
以下、本発明に係る一実施の形態について図１ないし図１５に基づいて説明する。
本実施の形態に係る内燃機関Ｅは、４つのシリンダを直列に配置した直列４気筒の水冷式内燃機関であり、自動二輪車にクランク軸10を左右方向に指向させて横置きに搭載される。
なお、本明細書において、車両前進方向を前方、その反対方向を後方とし、前進方向である前方を見て左手方向を左方、右手方向を右方と決めておく。
【００２２】
該内燃機関Ｅの左側面図を図１に、一部断面とした右側面図を図２に、一部省略した平面図を図３に示し、図１におけるIV−IV線で切断した断面図を図４に示す。
また、図４におけるＶ−Ｖ線で切断した概略断面図を図５に示す。
【００２３】
クランク軸10を軸支するクランクケース11は、上下割りに構成され、上側クランクケース11Ｕの上には４つのシリンダ12ｃを直列に配列して一体に成形されたシリンダブロック12とシリンダヘッド13が順に重ねられて幾らか前方に傾いて立設され、シリンダヘッド13の上にはシリンダヘッドカバー14が被せられる。
一方、下側クランクケース11Ｌの下にはオイルパン15が取り付けられる。
【００２４】
図４および図５を参照して、上側クランクケース11Ｕと下側クランクケース11Ｌの各ジャーナル壁11Ｕｗ，11Ｌｗが、クランク軸10のジャーナル部10ｊを主軸受20を介して上下から挟むようにして支持してクランク軸10を回転自在に軸支する。
直列４気筒の内燃機関Ｅであるので、クランク軸10は５つのジャーナル部10ｊを有し、上側クランクケース11Ｕと下側クランクケース11Ｌの上下それぞれ５つジャーナル壁11Ｕｗ，11Ｌｗによりクランク軸10は回転自在に支持される。
【００２５】
この上側クランクケース11Ｕと下側クランクケース11Ｌは、互いの割り面を合せてボルトにより一体に締結される。
図５を参照して、上側クランクケース11Ｕと下側クランクケース11Ｌの各５つのジャーナル壁11Ｕｗ，11Ｌｗのそれぞれにおいて、クランク軸10を挟持する半円弧部を挟む前後にスタッドボルト21ｆ，21ｒが下方から真っ直ぐ上方へ下側クランクケース11Ｌを貫通して上側クランクケース11Ｕの長尺のねじ孔に螺入して緊締している。
【００２６】
前側のスタッドボルト21ｆは、上側クランクケース11Ｕのねじ孔に螺入した後、先端をクランク室の空洞22ａに突出開放しており、後側のスタッドボルト21ｒも上側クランクケース11Ｕのねじ孔に螺入した後、先端を上側クランクケース11Ｕにクランク軸10と平行に穿設された円孔22ｂに突出開放している。
【００２７】
したがって、スタッドボルト21ｆ，21ｒの螺合緊締によりねじ孔周辺に作用する応力が一部に集中するのを低減することができる。
なお、上側クランクケース11Ｕと下側クランクケース11Ｌは、上記スタッドボルト21ｆ，21ｒだけでなく、所要箇所に複数ボルト23により締結される（図５参照）。
【００２８】
そして、上側クランクケース11Ｕの上に幾らか前傾してシリンダブロック12が互いの合せ面を合せて重ねられ、同シリンダブロック12の上にシリンダヘッド13が重ねられて、上側クランクケース11Ｕのジャーナル壁11Ｕｗに連続するシリンダブロック12とシリンダヘッド13の部分を、前後のスタッドボルト25ｆ，25ｒが上方から貫通し、上側クランクケース11Ｕに穿設されたねじ孔26ｆ，26ｒに螺入され一体に締結される。
【００２９】
実際には、上側クランクケース11Ｕの合せ面に穿設されたねじ孔26ｆ，26ｒにスタッドボルト25ｆ，25ｒの下端を螺合してスタッドボルト25ｆ，25ｒを上方に突出した植設状態とし、このスタッドボルト25ｆ，25ｒにシリンダブロック12の貫通孔を合せて貫通させて上側クランクケース11Ｕの合せ面の上にシリンダブロック12を重ね、次いでシリンダブロック12の貫通孔を貫通して突出したスタッドボルト25ｆ，25ｒにシリンダヘッド13の貫通孔を合せて貫通させてシリンダブロック12の上側合せ面の上にシリンダヘッド13を重ねる。
【００３０】
そして、シリンダヘッド13の貫通孔を貫通して突出したスタッドボルト25ｆ，25ｒの上端雄ねじ部に袋ナット27ｆ，27ｒを螺着し緊締することで、袋ナット27ｆ，27ｒとともにスタッドボルト25ｆ，25ｒが、さらにねじ孔26ｆ，26ｒに螺入してシリンダブロック12とシリンダヘッド13が上側クランクケース11Ｕに一体に締結される。
【００３１】
上側クランクケース11Ｕの中央３つのジャーナル壁11Ｕｗには、ケース割り面に開口するように空洞28が形成されており、前側のねじ孔26ｆは、シリンダブロック12との合せ面から空洞28まで貫通している。
【００３２】
シリンダヘッド13とシリンダブロック12を貫通したスタッドボルト25ｆは、このねじ孔26ｆに螺入され、先端が一部空洞28に突出開放される。
したがって、スタッドボルト25ｆの螺合緊締により上側クランクケース11Ｕのねじ孔周辺に作用する応力が一部に集中するのを低減することができる。
【００３３】
このように上側クランクケース11Ｕに一体に締結されるシリンダブロック12の４つのシリンダのシリンダボア12ｃにピストン30が往復摺動可能に嵌合され、同ピストン30はコンロッド31を介してクランク軸10に連結される。
【００３４】
シリンダヘッド13には、シリンダボア12ｃ毎に、ピストン30に対向して形成される燃焼室32と、燃焼室32に開口して１対の吸気弁35により開閉される吸気ポート33が後方へ延出し、１対の排気弁36により開閉される排気ポート34が前方に延出し、さらに燃焼室32に臨む点火プラグ37が装着される。
なお、吸気ポート33の上流側吸気通路管33ｂにはスロットルボディ33ａが連結されて、その上流に図示しないが、吸気管が連結され、排気ポート34の下流側開口には排気管が連結される。
【００３５】
各吸気弁35および各排気弁36は、シリンダヘッド13に回転可能に軸支される吸気カム軸38および排気カム軸39によりクランク軸10の回転に同期して開閉駆動される。
そのために、各カム軸38，39は、右端部にカムスプロケット38ｓ，39ｓが嵌着され、クランク軸10の右端部近傍に嵌着される駆動スプロケット10ｓとカムスプロケット38ｓ，39ｓの間にタイミングチェーン40が掛け渡され（図２，図４参照）、クランク軸10の半分の回転速度で回転駆動される。
【００３６】
シリンダブロック12とシリンダヘッド13の右端部には、タイミングチェーン40を配設するためのカムチェーン室12cc，13ccが形成されており（図４参照）、カムチェーン室12cc，13ccにおいてカムチェーンガイド41，42がタイミングチェーン40に沿って前後に設けられ、後側のカムチェーンガイド42は、油圧式のカムチェーンテンショナ43によって付勢されてタイミングチェーン40を押さえつけ適当なテンションを与えている（図２参照）。
カムチェーンテンショナ43は、図２に示すようにシリンダヘッド13の右端部の後面から後方へ突出したテンショナホルダー13ａに取り付けられる。
【００３７】
他方、図４を参照して、クランクケース11の左側壁をなす最も左側のジャーナル壁11Ｕｗ，11Ｌｗから左方へ突出したクランク軸10の左端部には、交流発電機47のアウタロータ47ｒが嵌着され、交流発電機47に左方から被せられる発電機カバー48に交流発電機47の発電コイルを備えたインナステータ47ｓが支持されてアウタロータ47ｒ内に配置される。
【００３８】
発電機カバー48内にあって、交流発電機47のアウタロータ47ｒの外周前方に近接してクランク軸10の回転数を検出する機関回転数検出装置であるパルサコイル49が、配置されている。
【００３９】
クランクケース11内のクランク軸10より後方には変速機50が配設されている。
変速機50は、常時噛合い式の歯車変速機であり、クランク軸10の後方で斜め上方位置にメイン軸51が上側クランクケース11Ｕに軸受52を介して回転自在に軸支され、クランク軸10の後方で上側クランクケース11Ｕと下側クランクケース11Ｌの割り面に挟まれてカウンタ軸55が軸受56を介して回転自在に軸支され、クランク軸10と平行なメイン軸51とカウンタ軸55にそれぞれ装着される変速ギヤ群51ｇ，55ｇが互いに対となるギヤどうしを噛合しており、軸にスプライン嵌合しシフタとなるギヤの変速操作機構による移動によって変速がなされる。
【００４０】
メイン軸51の右端部には多板式の摩擦クラッチ54が設けられ、同摩擦クラッチ54のクラッチアウタ54ｏに共に回転するように支持されるプライマリドリブンギヤ53ｂとクランク軸10の右から数えて２番目のクランクウエブに形成されたプライマリドライブギヤ53ａが噛合して１次減速機構が構成されている。
摩擦クラッチ54の出力側であるクラッチインナ54ｉがメイン軸51にスプライン嵌合しており、よってクランク軸10の回転が１次減速機構53ａ，53ｂおよび摩擦クラッチ54を介してメイン軸51に伝達される。
【００４１】
そして、メイン軸51の回転は、変速ギヤ群51ｇ，55ｇの噛合いを介してカウンタ軸55に伝達される。
カウンタ軸55は、出力軸でもあり、クランクケース11を左方に貫通して外部に突出させた左端部に出力スプロケット57が嵌着され、図示しない後輪の被動スプロケットとの間に伝動チェーン58が掛け渡され２次減速機構が構成され、この２次減速機構を介して動力が後輪に伝達される。
【００４２】
図４に示すように、クランク軸10における駆動スプロケット10ｓより右側には始動用被動ギヤ63が一方向クラッチ64を介して軸支されている。
内燃機関Ｅを始動するスタータモータ60は、図３に示すようにクランクケース11の中央上面位置に取り付けられている。
【００４３】
上側クランクケース11Ｕにおけるシリンダブロック12が結合される部分の後方の上壁は、右側部分が摩擦クラッチ54やプライマリドリブンギヤ53ｂ等を収容すべく上方に大きく
膨出しており、この膨出部11Ｕａの左側面に沿ってスタータモータ60が取り付けられる。
なお、摩擦クラッチ54等の右側はクラッチカバー59により覆われる（図３参照）。
【００４４】
該スタータモータ60の右方に突出した駆動ギヤ軸61は、上側クランクケース11Ｕの膨出部11Ｕａの側壁を内部に貫通しており、同駆動ギヤ軸61と前記始動用被動ギヤ63との間に減速ギヤ機構62が介装されている。
したがって、スタータモータ60の駆動による駆動ギヤ軸61の回転が減速ギヤ機構62により減速されて始動用被動ギヤ63に伝達され、始動用被動ギヤ63の回転が一方向クラッチ64を介してクランク軸10に伝達されて内燃機関Ｅが始動される。
【００４５】
図４に示すように、メイン軸51のプライマリドリブンギヤ53ｂの左隣りに駆動スプロケット65ａが回転自在に軸支されるとともに、同駆動スプロケット65ａは、突起を延ばしてプライマリドリブンギヤ53ｂの孔に嵌合させてプライマリドリブンギヤ53ｂと一体に回転するようになっている。
【００４６】
クランクケース11を下方から見た下面図である図６を参照して、メイン軸51の下方には下側クランクケース11Ｌにオイルポンプ70と水ポンプ100が左右に並んで取り付けられている。
【００４７】
右側（図６では左側）のオイルポンプ70は、下側クランクケース11Ｌの内部に下方からボルト72により取り付けられ、左側（図６では右側）の水ポンプ100は、下側クランクケース11Ｌの左側壁に外側から嵌挿してボルト104により取り付けられており、オイルポンプ70の左側に突出した駆動軸71と水ポンプ100の右側に突出した駆動軸101が同軸に連結されている。
【００４８】
オイルポンプ70の駆動軸71は、右方にも突出しており、その右端部に被動スプロケット65ｂが嵌着されている。
この被動スプロケット65ｂの上方に前記メイン軸51に設けられた駆動スプロケット65ａが位置して、駆動スプロケット65ａと被動スプロケット65ｂとの間に無端チェーン66が架渡される（図２参照）。
【００４９】
したがって、クランク軸10の回転が１次減速機構のプライマリドリブンギヤ53ｂと一体の駆動スプロケット65ａから無端チェーン66を介して被動スプロケット65ｂに伝達され、被動スプロケット65ｂとともにオイルポンプ70の駆動軸71および水ポンプ100の駆動軸101を回転駆動する。
【００５０】
また、下側クランクケース11Ｌを下方から見た図６を参照して、中央側気筒に対応する中央のジャーナル壁11Ｕｗの前部とその左隣り（図６では右隣り）のジャーナル壁11Ｕｗの前部との間にバランサ室94が形成されて、同バランサ室94内において左右のジャーナル壁11Ｕｗ，11Ｕｗにバランサ軸95ａの両端が支持されて２次バランサ95が架設されている。
２次バランサ95は、図１に示す側面視でクランク軸10より下方斜め前方に位置する。
クランクケース11の前面図である図７を参照して、２次バランサ95は、バランサ軸95ａにバランスウエイト95ｂがニードル軸受95ｃを介して軸支され、バランスウエイト95ｂのボス部外周にバランサドリブンギヤ96ｂが嵌着されている。
【００５１】
２次バランサ95のバランサドリブンギヤ96ｂは、クランク軸10のクランクウエブに形成されたバランサドリブンギヤ96ｂの２倍の歯数を有するバランサドライブギヤ96ａ（図４参照）に噛合している。
したがって、２次バランサ95は、クランク軸10の２倍の回転速度でバランスウエイト95ｂが回転して直列４気筒の内燃機関１の２次振動を吸収する。
【００５２】
油圧供給源である前記オイルポンプ70は、トロコイド式のポンプであり、駆動軸71と一体のインナロータがその周囲に噛み合うアウタロータを回転させ、ロータ間の容積変化でオイルを吸入・吐出させる。
【００５３】
オイルポンプ70の吸入口70ａが下方に開口しており（図６参照）、同吸入口70ａに吸入導管73が連結され、吸入導管73はオイルパン15内を下方に延出して下端部をオイルパン15の底面に接近させてオイルストレーナ74を配設している（図２参照）。
したがって、オイルポンプ70が駆動されると、オイルパン15に溜まったオイルがオイルストレーナ74を介して吸入導管73に導かれて汲み上げられる。
【００５４】
オイルポンプ70の吐出口70ｂも下方に開口しており、図２および図６に示すように、同吐出口70ｂに第１のオイル供給路Ａ１を形成するオイル供給管75の一端が連結され、オイル供給管75はオイルパン15内を下方に迂回して前方斜め右寄り（図６で左寄り）に延出し、下側クランクケース11Ｌの前面の右端近傍に突設されたオイルフィルタ76の流入口76ａ（図７参照）から後方へ穿設された第２のオイル供給路Ａ２の端部の下方に開口した入口75ａに、他端が連結されている。
【００５５】
図６および図７を参照して、下側クランクケース11Ｌの前面には、右端近傍に配置されたオイルフィルタ76の左側(図６, 図７では右側)に並んでオイルクーラ77が突設されており、下側クランクケース11Ｌの前面のオイルクーラ77が取り付けられる部分にはオイルクーラ77の流入ポート78ａと流出ポート78ｂを構成するオイルクーラハウジング78が形成されている。
オイルクーラハウジング78の左隣りに前記バランサ95が配置されている(図６参照)。
【００５６】
図６に示すように、オイルフィルタ76の後方に突出した流出筒76ｂは、左右方向に穿設された第３のオイル供給路Ａ３に連通しており、第３のオイル供給路Ａ３はオイルクーラハウジング78の流入ポート78ａに連通している。
そして、オイルクーラハウジング78の中心部の流出ポート78ｂからは後方に向けて第４のオイル供給路Ａ４が穿設されている（図６，図７参照）。
【００５７】
この第４のオイル供給路Ａ４に直交するように第５のオイル供給路であるメインギャラリＡ５がクランク軸10の下方にクランク軸10と平行に穿設されている。
メインギャラリＡ５は、下側クランクケース11Ｌの５つのジャーナル壁11Ｌｗを貫通しており、各ジャーナル壁11Ｌｗにおいて各ジャーナル軸受部に向けてオイル分岐供給路Ａ６が穿設されている。
【００５８】
なお、図２を参照して、オイル供給路Ａ４の後端部からは、後方の変速機50側に斜め上向きにオイルを供給するオイル供給路Ｂ１が穿設され、同オイル供給路Ｂ１に連続して上側クランクケース11Ｕにメイン軸51の軸受部にオイルを供給するオイル供給路Ｂ２が穿設されている。
【００５９】
また、図２および図６を参照して、下側クランクケース11Ｌにおいて、オイル供給路Ｂ１の途中から右方に向けてカムチェーンテンショナ43にオイルを供給する第１のオイル供給路Ｃ１が分岐して穿設されており、第１のオイル供給路Ｃ１は最も右側のジャーナル壁11Ｌｗまで至り、その右端部から上方へ屈曲して割り面に開口している。
【００６０】
この第１のオイル供給路Ｃ１の開口に対向して上側クランクケース11Ｕの最も右側のジャーナル壁11Ｕｗの割り面に適当な容積の凹部があり、凹部の開口が下側クランクケース11Ｌのジャーナル壁11Ｌｗの割り面により第１のオイル供給路Ｃ１の開口を除いて蓋をされることで、凹部はオイル溜り室Ｃａを構成する。
【００６１】
上側クランクケース11Ｕにおいて、ジャーナル壁11Ｕｗの割り面に沿ったオイル溜り室Ｃａからは、第２のオイル供給路Ｃ２がシリンダブロック12との合せ面に向かい斜めに穿設されている。
第２のオイル供給路Ｃ２は、シリンダブロック12の右側壁の後部に穿設された第３のオイル供給路Ｃ３に連続する。
【００６２】
シリンダブロック12において第３のオイル供給路Ｃ３は、上側クランクケース11Ｕとの合せ面からシリンダ軸方向に穿設された後、後方に一度屈曲し再び屈曲してシリンダヘッド13との合せ面に向かい合せ面に形成されたラビリンス構造部Ｃｂを経てシリンダヘッド13に穿設された第４のオイル供給路Ｃ４に連通する。
【００６３】
第４のオイル供給路Ｃ４はＬ字に屈曲してカムチェーンテンショナ43の流入口に接続されてオイルをカムチェーンテンショナ43に供給することになる。
途中のラビリンス構造部Ｃｂは、シリンダブロック12とシリンダヘッド13の合せ面において両者間を行き来する迷路を形成したもので、フィルタとしての効果を備える。
【００６４】
一方、図２および図７を参照して、下側クランクケース11Ｌにおけるオイルクーラハウジング78の流出ポート78ｂから真上に向かってピストン冷却用のオイルを供給する第１のオイル供給路Ｄ１が上側の割り面まで穿設されている。
なお、オイルクーラハウジング78の流出ポート78ｂからは左隣りのバランサ95のバランサ軸95ａに向けて連通孔98も形成されていてバランサ95の潤滑にオイルが供されるようになっている（図６，図７参照）。
【００６５】
上側クランクケース11Ｕの５つのジャーナル壁11Ｕｗのうち中央のジャーナル壁11Ｕｗに形成された前記空洞28は、ケース割り面に開口しており、上側クランクケース11Ｕの割り面においてこの中央の空洞28の開口と前記第１のオイル供給路Ｄ１が対向する部分まで第２のオイル供給路Ｄ２を構成する溝が形成されている（図７参照）。
【００６６】
すなわち、第２のオイル供給路Ｄ２は、上側クランクケース11Ｕに形成された溝の開口の一部を、下側クランクケース11Ｌの割り面が蓋をする形で構成される。
第１のオイル供給路Ｄ１の上端部で割り面の第２のオイル供給路Ｄ２との接続箇所に複数の小さな孔部からなるフィルタ80が介装されている。
このフィルタ80は、機械加工またはプレスにより成形される。
【００６７】
第２のオイル供給路Ｄ２が連通する上側クランクケース11Ｕの中央のジャーナル壁11Ｕｗに形成された空洞28は、下側クランクケース11Ｌの割り面により蓋をされて第３のオイル供給路でもあるが適当な容積を有して一時オイルを溜めておけるオイル溜り室Ｄａとなる。
【００６８】
このようにオイル溜り室Ｄａは、上側クランクケース11Ｕのケース割り面に開口して形成されるので、オイル溜り室Ｄａを上側クランクケース11Ｕの鋳造時に同時に形成することができ、機械加工を必要としないですむ。
また、下側クランクケース11Ｌのケース割り面がオイル溜り室Ｄａの開口を一部塞いで該オイル溜り室Ｄａを構成するので、別途専用の蓋部材を必要とせず部品点数を削減できる。
【００６９】
また、前記したように、図５を参照して、シリンダブロック12においてシリンダヘッド13との合せ面からオイル溜り室Ｄａまでねじ孔26ｆが形成され、シリンダヘッド13とシリンダブロック12を貫通したスタッドボルト25ｆが、このねじ孔26ｆに螺入され、先端が一部オイル溜り室Ｄａに突出開放されるので、スタッドボルト25ｆの螺合緊締により上側クランクケース11Ｕのねじ孔周辺に作用する応力が一部に集中するのを低減することができる。
この応力集中低減構造が、後記するオイルジェット81Ｌｊ，81Ｒｊ，87Ｌｊにオイルを安定供給するオイル溜り室Ｄａを利用して構成されるので、別途専用の構造を必要とせず、そのための加工も要しない。
【００７０】
図８を参照して、このオイル溜り室Ｄａの上部空間に、左右両側から直線状をした管状部材である左右のピストン冷却用のオイル噴射用配管81Ｌ，81Ｒが、その内端部を嵌入させて左右外側方に延びている（図８では左右が逆である）。
左右のオイル噴射用配管81Ｌ，81Ｒには、５つの隣り合うジャーナル壁11Ｕｗの各中間位置に上方のシリンダボア12ｃに向けてオイル噴射孔であるオイルジェット81Ｌｊ，81Ｒｊが左右２つずつ穿孔されている。
【００７１】
オイル溜り室Ｄａを形成する左右の側壁には所定位置に同軸に円孔が形成されて、同円孔に左右のオイル噴射用配管81Ｌ，81Ｒの内端部がカラー82，82およびＯリング83，83を介して嵌入されて内端部の開口であるオイル導入口をオイル溜り室Ｄａに臨ませている。
そして、左右のオイル噴射用配管81Ｌ，81Ｒは、中央のジャーナル壁11Ｕｗに隣り合う左右両側のジャーナル壁11Ｕｗ，11Ｕｗの円孔84，84を貫通して、外端部が左右最外側のジャーナル壁11Ｕｗ，11Ｕｗに形成された円孔85，85に挿入されている。
【００７２】
左右のオイル噴射用配管81Ｌ，81Ｒの外端部には筒状のキャップ部材86Ｌ，86Ｒが被せられている。
キャップ部材86Ｌ，86Ｒは、軸方向に大小の内径と大小の外径が形成されており、オイル噴射用配管81Ｌ，81Ｒの外径に等しい大内径部にオイル噴射用配管81Ｌ，81Ｒが圧入される形でキャップ部材86Ｌ，86Ｒが被せられる。
【００７３】
キャップ部材86Ｌ，86Ｒの大外径部が、左右最外側のジャーナル壁11Ｕｗ，11Ｕｗに形成された円孔85，85に圧入されて、オイル噴射用配管81Ｌ，81Ｒの外端部がキャップ部材86Ｌ，86Ｒを介して左右最外側のジャーナル壁11Ｕｗ，11Ｕｗに固着支持される。
キャップ部材86Ｌ，86Ｒの大外径部の一部と小外径部は外側に突出している。
【００７４】
そして、左側キャップ部材86Ｌの小内径部の外側開口に、オイル噴射孔であるオイルジェット87Ｌｊが形成された円筒状をしたオイルジェット部材87Ｌが圧入され、右側キャップ部材86Ｒの小内径部の外側開口には、栓部材87Ｒが圧入されて開口を閉塞している。
【００７５】
キャップ部材86Ｌ，86Ｒの外側に突出した小外径部に、板状の取付けステー88Ｌ，88Ｒの先端部円孔が圧入嵌着される。
取付けステー88Ｌ，88Ｒの基端部円孔88Ｌａ，88Ｒａは、左右最外側のジャーナル壁11Ｕｗ，11Ｕｗの各々所定位置に形成されたねじ孔89Ｌ，89Ｒに合せてワッシャ91Ｌ，91Ｒを介して締付ボルト90Ｌ，90Ｒにより外側から螺合して緊締される。
【００７６】
左側のオイル噴射用配管81Ｌの取り付け方法についてみると、まずオイル噴射用配管81Ｌの外端部に取付けステー88Ｌが、キャップ部材86Ｌを介して所定の相対的位置関係を保って予め一体に固着しておく。
【００７７】
すなわち、図１０に示すようにオイル噴射用配管81Ｌの中心軸を基準にオイル噴射用配管81Ｌに穿設されるオイルジェット81Ｌｊが存在する方向Ｘと取付けステー88Ｌの基端部円孔88Ｌａが存在する方向Ｙとが所定の相対的角度をなすようにオイル噴射用配管81Ｌと取付けステー88Ｌが一体に固着されるようにする。
【００７８】
上記のように取付けステー88Ｌがキャップ部材86Ｌを介して一体に固着されたオイル噴射用配管81Ｌを、内端部から左最外側のジャーナル壁11Ｕｗの円孔85に挿入して貫通し（図９参照）、さらに途中のジャーナル壁11Ｕｗの円孔84を貫通して中央のジャーナル壁11Ｕｗの円孔にカラー82およびＯリング83を介して嵌入すると同時にキャップ部材86Ｌを円孔85に圧入する。
【００７９】
その圧入の際に、取付けステー88Ｌをオイル噴射用配管81Ｌと一体に回動しながら、取付けステー88Ｌの基端部円孔88Ｌａを、左最外側のジャーナル壁11Ｕｗの所定位置に形成されたねじ孔89Ｌに合わせるようにすると、図１０に示すようにオイル噴射用配管81Ｌに穿設されるオイルジェット81Ｌｊは、略真上を向いてシリンダボア12ｃ内を往復摺動するピストン30にオイルを効率良く噴射する向きに容易に設定することができる。
【００８０】
このように設定したところで、締付ボルト90Ｌをワッシャ91Ｌを介して基端部円孔88Ｌａに貫通してねじ孔89Ｌに螺合し緊締することで、オイルジェット81Ｌｊの向きを最適位置に固定することができる。
【００８１】
他方の右側のオイル噴射用配管81Ｒの取り付け構造もオイル噴射用配管81Ｌと概ね左右対称に構成されているので、同様の方法で、オイルジェット81Ｒｊの向きを最適位置にして取り付けることができる。
【００８２】
ただし、右側の取付けステー88Ｒは、左側の取付けステー88Ｌより幾らか大きく、先端部円孔と基端部円孔との距離が幾らか長い。
したがって、オイル噴射用配管を左右間違って取り付けようとすると、ジャーナル壁11Ｕｗの所定位置に形成されたねじ孔と基端部円孔とが合致することがなく、締付ボルトを螺合することができないので、左右間違って取り付けていることを知ることができ、誤組みを防止することができる。
【００８３】
こうして上側クランクケース11Ｕの５つのジャーナル壁11Ｕｗを貫通して取り付けられた左右のオイル噴射用配管81Ｌ，81Ｒは、各オイルジェット81Ｌｊ，81Ｒｊが対応するシリンダボア12ｃ内のピストン30に向いてオイルをピストン30に効果的に噴射してピストン30を効率良く冷却することができる。
【００８４】
また、左側のオイル噴射用配管81Ｌは、左端にオイルジェット部材87Ｌが圧入されて、オイルジェット部材87Ｌのオイルジェット87Ｌｊから左方にオイルを噴射するようになっている。
オイルジェット87Ｌｊは、交流発電機47に直接でなく、交流発電機47のアウタロータ47ｒの外周面と発電機カバー48の内周面との間の環状空間にオイルを噴射して交流発電機47を冷却する。
【００８５】
図１０に示すように、クランク軸方向に視て、オイルジェット87Ｌｊは、発電機カバー48の内側であって、交流発電機47のアウタロータ47ｒの外周近傍の前方斜め上で、アウタロータ47ｒの前方に近接するパルサコイル49の上方に位置している。
また、図７に示すように前面視で、重なるアウタロータ47ｒとパルサコイル49に対してオイルジェット87Ｌｊは右側（図７では左側）に位置している。
【００８６】
したがって、オイルジェット87Ｌｊによりオイルはアウタロータ47ｒの外周空間に噴射されるので拡散するが、オイルが拡散される空間は、交流発電機47のアウタロータ47ｒの外周面と発電機カバー48の内周面との間の環状空間であって、かつパルサコイル49の上側でアウタロータ47ｒの前側の斜め上側の空間に概ね限定される。
なお、このオイル拡散空間は、パルサコイル49を配置するために設けられた空間の一部である。
【００８７】
交流発電機47のアウタロータ47ｒは、図１０の左側面視において矢印で示すように反時計回りに回転しており、オイルジェット87Ｌｊによるオイル噴射領域より回転方向で下流側にオイル噴射領域に沿ってパルサコイル49が位置して上記のようにオイルが広い空間に拡散することなく狭い空間に略限定されて拡散されるために該オイル拡散空間にオイルが霧状に充満する。
【００８８】
このオイルが充満したオイル拡散空間に、アウタロータ47ｒは外周面を晒しながら回転することになるので、アウタロータ47ｒの外周面にオイルが満遍なく均一に散布されることになり、交流発電機47を効率良く冷却することができる。
【００８９】
オイルジェット87Ｌｊは、直接アウタロータ47ｒに向けてオイルを噴射せず、近傍空間に噴射拡散させるので、アウタロータ47ｒの回転に対してフリクションを増加させることはない。
【００９０】
オイルジェット87Ｌｊがオイルを噴射して拡散するオイル拡散空間は、パルサコイル49を配置するために設けられた空間の一部を利用しているので、別途空間を設けることで内燃機関が大型化するのを避けることができる。
【００９１】
このように、交流発電機47を冷却するためオイルジェット87Ｌｊにオイルを供給する手段として、ピストン冷却用のオイル噴射用配管81Ｌを利用しているので、交流発電機47を冷却するためのオイル通路を新たに形成する必要がなく、構造を簡素化し加工工数および部品点数を削減することができる。
【００９２】
オイルの供給経路は、前記したように構成されるので、オイルポンプ70が駆動して吐出口70ｂから吐出したオイルは、第１のオイル供給路Ａ１（オイル供給管75）を通って第２のオイル供給路Ａ２からオイルフィルタ76に流入し、ゴミ等の不純物を除去されて第３のオイル供給路Ａ３に流出して流入ポート78ａからオイルクーラ77に流入して冷却され、流出ポート78ｂから第４のオイル供給路Ａ４に流出してメインギャラリＡ５に至り、メインギャラリＡ５からオイル分岐供給路Ａ５を経てクランク軸10やオイル供給路Ｂ１，Ｂ２を経て変速機50等の各潤滑部位やオイル供給路Ｃ１，Ｃ２，Ｃ３，Ｃ４を経てカムチェーンテンショナ43等の油圧機器にオイルが供給される。
【００９３】
一方で、オイルクーラ77の流出ポート78ｂから第１のオイル供給路Ｄ１に分流したオイルが、上側クランクケース11Ｕと下側クランクケース11Ｌの割り面においてフィルタ80を経て、第２のオイル供給路Ｄ２からオイル溜り室Ｄａに至り、オイル溜り室Ｄａから左右のオイル噴射用配管81Ｌ，81Ｒに分配されて、オイル噴射用配管81Ｌ，81Ｒのオイルジェット81Ｌｊ，81Ｒｊおよびオイルジェット87Ｌｊから噴射され、オイルジェット81Ｌｊ，81Ｒｊより噴射されたオイルによってピストン30が冷却され、オイルジェット87Ｌｊより噴射されたオイルによって交流発電機47が冷却される。
【００９４】
左右のオイル噴射用配管81Ｌ，81Ｒに分配される上流側にオイル溜り室Ｄａを有しているので、オイルポンプ70のオイル吐出圧の脈動を減衰させてオイル噴射用配管81Ｌ，81Ｒにオイルが分配され、オイルジェット81Ｌｊ，81Ｒｊおよびオイルジェット87Ｌｊにはオイルが安定供給され、オイルジェット81Ｌｊ，81Ｒｊおよびオイルジェット87Ｌｊから安定的にオイルを噴射してピストン30および交流発電機47をより効率良く冷却することができる。
【００９５】
また、前記したように、シリンダブロック12においてシリンダヘッド13との合せ面からオイル溜り室Ｄａまでねじ孔26ｆが形成され、シリンダヘッド13とシリンダブロック12を貫通したスタッドボルト25ｆが、このねじ孔26ｆに螺入され、先端が一部オイル溜り室Ｄａに突出開放されるので、スタッドボルト25ｆの螺合緊締により上側クランクケース11Ｕのねじ孔周辺に作用する応力が一部に集中するのを低減することができる。
この応力集中低減構造が、オイルジェット81Ｌｊ，81Ｒｊ，87Ｌｊにオイルを安定供給するオイル溜り室Ｄａを利用して構成されるので、別途専用の構造を必要とせず、そのための加工も要しない。
【００９６】
オイル溜り室Ｄａは、中央のジャーナル壁11Ｕｗの空洞28を利用しているので、左右のオイル噴射用配管81Ｌ，81Ｒに均等に分配してピストン30を冷却する４つのオイルジェット81Ｌｊ，81Ｒｊに均一にオイルを供給し噴射させることができる。
【００９７】
左右のオイル噴射用配管81Ｌ，81Ｒにオイルジェット81Ｌｊ，81Ｒｊを形成しているので、クランクケースの各ジャーナル壁にそれぞれオイルジェットを取り付ける場合と比較して複数のオイルジェット81Ｌｊ，81Ｒｊを管状部材のオイル噴射用配管81Ｌ，81Ｒに集約できるため組付け性に優れている。
【００９８】
なお、本実施の形態では、オイル溜り室Ｄａから左右にオイル噴射用配管81Ｌ，81Ｒを２本延出させていたが、これを１本のオイル噴射用配管として、オイル溜り室を貫通する中央箇所にオイル溜り室に開口する導入口を設けるようにしてもよい。
【００９９】
本水冷式内燃機関Ｅは、互いの駆動軸71と駆動軸101が連結されてオイルポンプ70と連動して回転駆動される水ポンプ100を、冷却水の供給源とする冷却系を構成している。
本内燃機関Ｅの冷却系において、図１を参照して、水ポンプ100は、前記したように下側クランクケース11Ｌの左側壁の後部に取り付けられており、内燃機関Ｅの前方にラジエータ105が配置され、そしてサーモスタットケース110がシリンダヘッド13の右端気筒の吸気ポート33の下側から後方に延出した冷却水出口である冷却水排出管108に連結されて取り付けられている。
サーモスタットケース110には、ワックスタイプのボトムバイパス式サーモスタットが内蔵されている。
【０１００】
なお、サーモスタットケース110の右方に突出した接続管110ａに一端を接続したラジエータ流入ホース106が、図２および図３に示すようにシリンダブロック12の右方を前方に迂回してラジエータ105の流入口に他端を接続している。
接続管110ａは、図２に示すようにカムチェーンテンショナ43と上側クランクケース11Ｕの膨出部11Ｕａとの間の空間に突出しており、同空間をラジエータ流入ホース106が通って右方に延出している。
【０１０１】
水ポンプ100は、駆動軸101と一体に回転するインペラ102を収納するポンプ室が、駆動軸101を軸支するポンプボディ100ａとポンプカバー100ｂとで構成されており（図６参照）、このポンプカバー100ｂの吸入口の前方に延出した接続管103ａに一端を接続したラジエータ流出ホース107が、下側クランクケース11Ｌの左側面の下部に沿って配設されラジエータ105の流出口に他端を接続している。
【０１０２】
また、ポンプカバー100ｂの同じ吸入口の上方に延出した接続管103ｂに一端を接続したバイパス用ホース112が、図１および図３を参照して、下側クランクケース11Ｌと上側クランクケース11Ｕの左側面の後部に沿って上方に延び、上側クランクケース11Ｕの上面を前方斜め右側に屈曲してスタータモータ60の左側を通り、図３の平面視でスタータモータ60とシリンダブロック12およびシリンダヘッド13との間を右方斜め上側に延びてサーモスタットケース110の上部のバイパス流出口に他端を接続している。
【０１０３】
さらに、水ポンプ100のポンプカバー100ｂの吐出口から延出した接続管103ｃに一端を接続した冷却水供給管であるポンプ吐出ホース113が下側クランクケース11Ｌと上側クランクケース11Ｕの左側面の後部に沿って上方に延び、前方に屈曲してシリンダブロック12の左側面に突設された管継手部材115の斜め後方に延出した流入接続管115ｂに他端を接続している。
【０１０４】
管継手部材115は、シリンダブロック12との合せ面に縦長に開口した内空間115ａが形成されていて、その開口端縁のフランジ部が３箇所ボルト116によりシリンダブロック12に締結されて取り付けられている（図１，図４参照）。
【０１０５】
図４に示すように、シリンダブロック12の左側壁には、管継手部材115の内空間115ａの開口に対向して上下に仕切られた下側冷却水入口120と上側冷却水入口121とが形成されており、下側冷却水入口120はシリンダブロック12のシリンダボア12ｃの周囲に形成された第１ウォータジャケット12ｗに連通し、上側冷却水入口121は上方に屈曲した連通孔122がシリンダヘッド13の連通孔123に連続し、連通孔123がシリンダヘッド13の第２ウォータジャケット13ｗに連通する。
【０１０６】
また、図１に示すように、管継手部材115は斜め前方に分岐接続管115ｃが延出しており、同分岐接続管115ｃに一端を接続したオイルクーラ用の流入ホース117が斜め前下方向に延出して下側クランクケース11Ｕの前面に突設されたオイルクーラ77の水流入口に他端を接続している。
オイルクーラ77の水流出口から延出した流出ホース118は前記ラジエータ流出ホース107に連結されてオイルクーラ77を経た冷却水を、ラジエータ流出ホース107の一部を利用して水ポンプ100に戻している。
【０１０７】
シリンダブロック12の第１ウォータジャケット12ｗとシリンダヘッド13の第２ウォータジャケット13ｗの構造を、図１１ないし図１５に基づき説明する。
シリンダブロック12の上面図である図１１を参照して、４つのシリンダボア12ｃが左右に直列に並んでおり、この気筒配列方向の左端側に下側冷却水入口120と上側冷却水入口121を有し（図４参照）、上側冷却水入口121は連通孔122に連通し、連通孔122は上方に向かって開口してシリンダヘッド13の連通孔123に連続する。
一方、シリンダブロック12の気筒配列方向の右端側にはカムチェーン室12ccが形成されている。
【０１０８】
シリンダブロック12の第１ウォータジャケット12ｗは、図１１に破線で示すように、４つのシリンダボア12ｃを纏めて環状に囲繞しており、できるだけ各シリンダボア12ｃの円弧に沿うようにして蛇行している。
この環状の第１ウォータジャケット12ｗは、気筒配列方向の左端側で前記下側冷却水入口120に連通している。
【０１０９】
シリンダブロック12のシリンダヘッド13との合せ面に、第１ウォータジャケット12ｗの一部が開放した複数の開口12ｈが形成されているが、シリンダヘッド13との合せ面に挟まれるガスケット18により１つの円弧状開口12hhを除いて閉塞される。
この円弧状開口12hhは、気筒配列方向のカムチェーン室12ccと同じ右端側で前側に偏った位置にある。
【０１１０】
ガスケット18の上面図である図１２を参照して、ガスケット18は、シリンダボア12ｃに対応する４つの円孔18ｃが並んでおり、その外周部のボルト孔等のほかに、気筒配列方向の左端に連通孔122に対応する矩形孔18ａが穿孔され、右端にカムチェーン室12ccに対応する長方形のチェーン室孔18ccが形成されるとともに、シリンダブロック12の前記円弧状開口12hhに対応して前側に偏った位置に円弧状の連通孔18hhが穿孔されている。
【０１１１】
かかるガスケット18が、シリンダブロック12の合せ面に重ね合わされると、シリンダブロック12の第１ウォータジャケット12ｗは、気筒配列方向の左端で下側冷却水入口120に連通し、右端で円弧状開口12hhから連通孔18hhに連通する。
したがって、図１１の破線矢印を参照して、気筒配列方向の左端の下側冷却水入口120から流入した冷却水は、第１ウォータジャケット12ｗを前後に分かれて右方に流れながらシリンダを冷却し、右端の円弧状開口12hhで集合して連通孔18hhを通ってシリンダヘッド13の第２ウォータジャケット13ｗに流出する。
【０１１２】
一方、シリンダヘッド13は、図１３に示す下面図を参照して、４つの燃焼室32の天井壁が左右に並んでおり、各天井壁に吸気ポート33と排気ポート34が２つずつ開口しており、その外周部の気筒配列方向の左端に前記シリンダブロック12の連通孔122と前記ガスケット18の矩形孔18ａに対向して連通孔123が開口し、右端にはカムチェーン室13ccが形成されている。
【０１１３】
そして、シリンダヘッド13のシリンダブロック12との合せ面に、第２ウォータジャケット13ｗの一部が開放した複数の開口13ｈが形成されているが、ガスケット18により１つの円弧状開口13hhを除いて閉塞される。
この円弧状開口13hhは、気筒配列方向の右端側で前側に偏った位置にあって、前記シリンダブロック12の円弧状開口12hhと前記ガスケット18の連通孔18hhに対向する。
【０１１４】
シリンダヘッド13の気筒配列方向の右端には、カムチェーン室13ccが形成されるとともに、カムチェーン室13ccから後方に向けてテンショナホルダー13ａが突出している（図１３，図１４参照）。
シリンダヘッド13の気筒配列方向の右端で後方に突出した該テンショナホルダー13ａの気筒配列方向に並んで左側に冷却水出口である冷却水排出管108が突出している。
【０１１５】
したがって、シリンダブロック12にガスケット18を挟んでシリンダヘッド13を重ね合わせて合体すると、気筒配列方向で右端側において前側に連通孔18hhがあり、後側に冷却水排出管108が位置する。
シリンダブロック12の第１ウォータジャケット12ｗを流れた冷却水は、連通孔18hhから流出してシリンダヘッド13の第２ウォータジャケット13ｗを流れた冷却水に集合するので、前側に位置する連通孔18hhが集合部であり、この前側の集合部に集合した冷却水は、後側の冷却水排出管108に流れて冷却水排出管108から排出される。
【０１１６】
したがって、第１ウォータジャケット12ｗと第２ウォータジャケット13ｗ内の冷却水の流れに偏りが少なく、冷却性能が全体に亘って均一化されて効率良く冷却することができる。
そのため、水ポンプ100の容量を最低限に設定して内燃機関全体のコンパクト化およびポンプ損失の低減を図ることができる。
【０１１７】
また、前記したように、シリンダブロック12の気筒配列方向で右端部に下側冷却水入口120と上側冷却水入口121があって、ポンプ吐出ホース113から管継手部材115を介して供給される冷却水がシリンダブロック12の下側冷却水入口120と上側冷却水入口121で分流するので、この冷却水の分岐部も前記集合部と同様にシリンダブロック12（またはシリンダヘッド13）内に構成されている。
【０１１８】
したがって、１本の冷却水供給管であるポンプ吐出ホース113を分岐せずにシリンダブロック12の冷却水入口120，121に接続し、シリンダヘッド13の１つの冷却水出口である冷却水排出管108から冷却水を排出すればよいので、内燃機関Ｅの外部の冷却水配管を簡素化してコンパクト化を図るとともに部品点数および取付工数を削減することができる。
また、ポンプ吐出ホース113を分岐せずにシリンダブロック12の冷却水入口120，121で分岐するので、冷却水経路の全体の延べ経路長が短縮でき、ポンプ損失を低減することができる。
【０１１９】
本シリンダヘッド13の後面からは、各気筒について２つの吸気ポート33，33が集合して吸気通路管33ｂとして後方に突出してスロットルボディ33ａに接続される。
この４本の吸気通路管33ｂのうち右端部の吸気通路管33ｂの下方に前記冷却水排出管108が突出している（図１４，図１５参照）。
この冷却水出口である冷却水排出管108と気筒配列方向に並んでテンショナホルダー13ａが、突出形成されている。
【０１２０】
このように、シリンダヘッド13の気筒配列方向の右端部の後面に、冷却水出口である冷却水排出管108と吸気通路管33ｂとテンショナホルダー13ａとが互いに寄り集まっていずれも突出形成されているので、内燃機関からの突出部を集約させることができ、他の部分の補機等の配置の自由度を向上させることができる。
冷却水排出管108にはサーモスタットケース110が接続され、吸気通路管33ｂにはスロットルボディ33ａが接続され、テンショナホルダー13ａにはカムチェーンテンショナ43が取り付けられる。
【０１２１】
本内燃機関Ｅの冷却系は、以上のように構成されており、水ポンプ100の駆動により吐出した冷却水は、ポンプ吐出ホース113を通ってシリンダブロック12の管継手部材115に至り、シリンダブロック12の左側壁の下側冷却水入口120と上側冷却水入口121に分岐し、下側冷却水入口120に流入した冷却水はシリンダブロック12の第１ウォータジャケット12ｗを右方に流れてシリンダブロック12を冷却し、上側冷却水入口121に流入した冷却水は連通孔122，123を経てシリンダヘッド13の第２ウォータジャケット13ｗを右方に流れてシリンダヘッド13を冷却する。
【０１２２】
シリンダブロック12とシリンダヘッド13の合せ面に挟まれるガスケット18がシリンダブロック12の第１ウォータジャケット12ｗとシリンダヘッド13の第２ウォータジャケット13ｗとを仕切っているが、右端の一部に連通孔18hhが穿孔されていて、第１ウォータジャケット12ｗから第２ウォータジャケット13ｗにシリンダブロック12を冷却した冷却水が流入し、第１ウォータジャケット12ｗと第２ウォータジャケット13ｗを互いに独立して流れた冷却水が合流し、シリンダヘッド13の後面の右端部で後方に延出した冷却水排出管108から流出しサーモスタットケース110に至る。
【０１２３】
サーモスタットケース110により内燃機関Ｅの暖機状態に応じてラジエータ105への冷却水の流通および遮断を制御する。
暖機運転中は、シリンダブロック12とシリンダヘッド13を通ってきた冷却水をラジエータ105に流さずバイパス用ホース112に流して水ポンプ100に戻し暖機を促進し、暖機を終え通常運転に入ると、ラジエータ流入ホース106に流れを切換えてラジエータ105に流通させ冷却水の温度を低減させシリンダブロック12とシリンダヘッド13の冷却を促進させる。
【０１２４】
一方、水ポンプ100よりポンプ吐出ホース113に吐出した冷却水は、管継手部材115からシリンダブロック12の下側冷却水入口120と上側冷却水入口121に分流するとともに、管継手部材115の内空間115ａで流入ホース117にも分流してオイルクーラ77に至り、オイルクーラ77から流出ホース118を通ってラジエータ流出ホース107の一部を介して水ポンプ100に戻る循環を行ってオイルを冷却する。
【０１２５】
このようにオイルクーラ77により冷却されたオイルが、オイルクーラハウジング78の流出ポート78ｂから第１のオイル供給路Ｄ１に分流し、第２のオイル供給路Ｄ２，オイル溜り室Ｄａを経て左右のオイル噴射用配管81Ｌ，81Ｒに分配されてオイルジェット81Ｌｊ，81Ｒｊによりピストン30に噴射されてピストン30を冷却し、オイルジェット87Ｌｊにより噴射されて交流発電機47を冷却することになる。
【図面の簡単な説明】
【０１２６】
【図１】本発明の一実施の形態に係る内燃機関の左側面図である。
【図２】同一部断面とした右側面図である。
【図３】同一部省略した平面図である。
【図４】図１におけるIV−IV線で切断した断面図である。
【図５】図４におけるＶ−Ｖ線で切断した概略断面図である。
【図６】クランクケースの下面図である。
【図７】クランクケースの前面図である。
【図８】上側クランクケースの断面図である。
【図９】図８の一部分解断面図である。
【図１０】オイル噴射用配管の配置構造を示す上側クランクケースの一部省略した要部側面図である。
【図１１】シリンダブロックの上面図である。
【図１２】ガスケットの上面図である。
【図１３】シリンダヘッドの下面図である。
【図１４】シリンダヘッドの後面図である。
【図１５】図１４におけるXV−XV線で切断した断面図である。
【符号の説明】
【０１２７】
Ｅ…内燃機関、10…クランク軸、11…クランクケース、11Ｌ…下側クランクケース、11Ｕ…上側クランクケース、12…シリンダブロック、12ｗ…第１ウォータジャケット、12cc…カムチェーン室、13…シリンダヘッド、13ａ…テンショナホルダー、13ｗ…第２ウォータジャケット、13cc…カムチェーン室、14…シリンダヘッドカバー、18…ガスケット、33ｂ…吸気通路管、77…オイルクーラ、
100…水ポンプ、101…駆動軸、102…インペラ、103ａ，103ｂ，103ｃ…接続管、104…ボルト、105…ラジエータ、106…ラジエータ流入ホース、107…ラジエータ流出ホース、108…冷却水排出管、110…サーモスタットケース、112…バイパス用ホース、113…ポンプ吐出ホース、115…管継手部材、116…ボルト、117…流入ホース、118…流出ホース、120…下側冷却水入口、121…上側冷却水入口、122…連通孔、123…連通孔。
【図１】
2007262928.tif 000003
【図２】
2007262928.tif 000004
【図３】
2007262928.tif 000005
【図４】
2007262928.tif 000006
【図５】
2007262928.tif 000007
【図６】
2007262928.tif 000008
【図７】
2007262928.tif 000009
【図８】
2007262928.tif 000010
【図９】
2007262928.tif 000011
【図１０】
2007262928.tif 000012
【図１１】
2007262928.tif 000013
【図１２】
2007262928.tif 000014
【図１３】
2007262928.tif 000015
【図１４】
2007262928.tif 000016
【図１５】
2007262928.tif 000017